(57)【要約】【課題】装置の大型化や高コスト化を招くことなく画像品質を向上させることのできる画像形成装置及びバイアス制御方法を得る。【解決手段】ＥＳＳ８２は、電源８６からの電源が投入された時点からのＩＯＴ８８による記録用紙に対する累積プリント枚数Ｐを取得し、累積プリント枚数Ｐが多くなるほどＩＯＴ８８に設けられている一次中間転写ドラム等の導電性部材に印加する電圧のレベルが低下するように制御を行う。【選択図】        図３
2004347881.tif 000002
【特許請求の範囲】
【請求項１】
電源が投入された状態で画像を記録媒体にページ単位で形成する画像形成装置であって、
電圧が印加されることにより画像形成に関する所定の動作を行う導電性部材と、
前記電源が投入された時点からの前記記録媒体に対する画像形成枚数を示す枚数情報を取得する取得手段と、
前記取得手段により取得された前記枚数情報により示される前記画像形成枚数が多くなるほど前記導電性部材に印加する電圧のレベルが低下するように制御を行う電圧制御手段と、
を備えた画像形成装置。
【請求項２】
前記電圧のレベルの低下の度合いを示す度合情報を予め記憶した記憶手段を更に備え、
前記電圧制御手段は、前記度合情報により示される度合いに基づいて前記電圧のレベルの制御を行う
請求項１記載の画像形成装置。
【請求項３】
前記導電性部材による前記所定の動作による前記記録媒体に対する累積処理枚数を示す累積処理枚数情報を取得する累積情報取得手段を更に備え、
前記記憶手段は、前記累積情報取得手段により取得された累積処理枚数情報によって示される前記累積処理枚数が多くなるほど大きな値となる情報を前記度合情報として予め記憶した
請求項２記載の画像形成装置。
【請求項４】
前記電圧制御手段は、前記累積情報取得手段により取得された累積処理枚数情報によって示される前記累積処理枚数が多くなるほど前記導電性部材に印加する電圧のレベルの初期レベルが高くなるように設定する
請求項３記載の画像形成装置。
【請求項５】
前記記憶手段は、前記電圧のレベルの下限値を示す下限情報を更に予め記憶し、
前記電圧制御手段は、前記下限情報により示される下限値を下限レベルとして前記電圧のレベルの制御を行う
請求項２乃至請求項４の何れか１項記載の画像形成装置。
【請求項６】
所定の環境状態を検知する検知手段を更に備え、
前記電圧制御手段は、前記検知手段により検知された環境状態に応じて前記電圧のレベルの制御を行う
請求項１乃至請求項５の何れか１項記載の画像形成装置。
【請求項７】
前記電圧制御手段は、画像形成動作が一時的に停止されている休止期間が所定期間以上である場合に、当該休止期間が長くなるほど前記画像形成枚数が少なくなるように調整する
請求項１乃至請求項６の何れか１項記載の画像形成装置。
【請求項８】
前記電圧制御手段は、前記導電性部材が交換された際に前記画像形成枚数をリセットする
請求項１乃至請求項７の何れか１項記載の画像形成装置。
【請求項９】
前記電圧制御手段は、前記記録媒体への画像の形成を当該記録媒体の両面に対して行う場合に、片面に対して行う場合に比較して前記画像形成枚数が多くなるように調整する
請求項１乃至請求項８の何れか１項記載の画像形成装置。
【請求項１０】
前記電圧制御手段は、前記画像形成枚数を予め定められた上限枚数以下に制限する
請求項１乃至請求項９の何れか１項記載の画像形成装置。
【請求項１１】
前記導電性部材を、画像形成時に前記記録媒体に画像を転写させるための転写体、被帯電体を帯電させるための帯電体、複数色で画像を形成する際に前記転写体の上流側で用いられる中間転写体、画像形成時に生じた異物を除去するためのブラシロールの少なくとも１つとし、
前記電圧制御手段は、前記導電性部材として複数の部材を適用する場合に、各部材毎に抵抗値の変動特性に応じて前記電圧のレベルの制御を行う
請求項１乃至請求項１０の何れか１項記載の画像形成装置。
【請求項１２】
電源が投入された状態で画像を記録媒体にページ単位で形成すると共に、電圧が印加されることにより画像形成に関する所定の動作を行う導電性部材を備えた画像形成装置における当該導電性部材に対するバイアス制御方法であって、
前記電源が投入された時点からの前記記録媒体に対する画像形成枚数を示す枚数情報を取得し、
取得した前記枚数情報により示される前記画像形成枚数が多くなるほど前記導電性部材に印加する電圧のレベルが低下するように制御を行う
バイアス制御方法。
【発明の詳細な説明】
【０００１】
【発明の属する技術分野】
本発明は、画像形成装置及びバイアス制御方法に係り、より詳しくは、電源が投入された状態で画像を記録媒体にページ単位で形成すると共に、電圧が印加されることにより画像形成に関する所定の動作を行う導電性部材を備えた画像形成装置及び当該画像形成装置における当該導電性部材に対するバイアス制御方法に関する。
【０００２】
【従来の技術】
電子写真方式を用いる複写機やレーザビームプリンタ（以下、「ＬＢＰ」という。）等の画像形成装置では、形成すべき画像を示す画像データに応じたトナー像を感光体ドラムに形成し、これを転写シートに転写することによって記録画像を形成している。
【０００３】
例えば、ＬＢＰでは、まず、予め定められた背景部の電位に感光体ドラムを帯電させた後、画像データに応じて変調されたレーザビームで上記感光体ドラムの表面を露光することにより静電潜像を形成する。次に、当該静電潜像をトナーで現像して可視像であるトナー像を形成した後、当該トナー像を記録シートに転写し、当該記録シートを定着器によって加熱定着することによって記録画像を得ている。
【０００４】
以上のような記録画像の形成工程において、トナー像を記録シートに転写する方法には、感光体ドラムから記録シートに直接トナー像を転写する方法の他、無端フィルム状の中間転写ベルトにトナー像を一次転写した後、これを記録シートに二次転写する方法等が採られており、このうち、後者の方法は、複数色のトナー像の重ね合わせが必要なフルカラー画像の形成に最適とされている。
【０００５】
これらの何れの転写方法においても、記録シートを挟んで感光体ドラムや中間転写ベルト等の像担持体と対向する位置に転写ロール等の転写部材が配置されており、当該転写部材によって記録シートの裏面にトナーの帯電電荷と逆極性の電荷を与えることで、トナー像を記録シートの表面に静電転写するようにしている。
【０００６】
例えば、トナーの帯電極性がマイナスの場合、記録シートの裏面に配置した転写部材にはプラスの転写バイアスを印加し、記録シートの裏面に対してプラスの電荷を与えるようにしている。
【０００７】
以上のようなトナー像の静電転写に大きく影響を与える要因として、転写部材の抵抗値の変動が挙げられる。一般に、導電性の転写部材は、通電時間が長くなるほど抵抗値が高くなる傾向にあり、温度が上昇すると抵抗値が低くなる傾向にある。
【０００８】
すなわち、一例として図９に示すように、転写部材の抵抗値は通電時間が長くなるほど経時的に抵抗値が高くなる傾向にある。また、装置の電源が投入されることにより転写部材の温度上昇が開始すると抵抗値が徐々に低くなっていき、電源がオフされることにより転写部材の温度が気温付近まで低下すると、抵抗値は上記経時的に変化した抵抗値付近まで上昇することになる。
【０００９】
また、当該抵抗値は、環境条件によっても大きく左右されるものであり、低温・低湿の環境では抵抗値が高くなり、高温・高湿の環境では抵抗値が低くなる傾向にある。
【００１０】
従って、これらの要因（通電時間、温度、環境条件）が変動すると、同一の大きさの転写バイアスを印加したとしても、当該要因によっては充分な転写電界を像担持体と記録シートとの間に発生させることができず、転写効率が著しく悪化し、この結果として記録画像の画質が悪化することになる。
【００１１】
この問題を解決するために、従来、転写部材を定電圧制御するときの出力電圧を変化させ、転写部材に転写電圧（転写バイアス）を印加する印加手段から転写部材に流れる電流が所望値に達したときの出力電圧から転写部材の抵抗値を検知し、検知した抵抗値に基づいて転写部材に印加する転写電圧の値を決定する技術があった（例えば、特許文献１参照。）。
【００１２】
また、従来、画像形成装置内の急激な温度上昇に対応するべく、転写ロール（転写部材）の抵抗値をモニタする手段を有し、これによって検出された抵抗値と以前の抵抗値との双方に基づいて転写バイアスを決定する技術もあった（例えば、特許文献２参照。）。
【００１３】
【特許文献１】
特開２００１−１５４５０６公報
【特許文献２】
特開２００２−１１６６４１公報
【００１４】
【発明が解決しようとする課題】
しかしながら、これらの技術では、抵抗値を検出するためのシステムが必要とされるため、装置の大型化や高コスト化を招いてしまう、という問題点があった。
【００１５】
特に、近年の画像形成装置では、上記転写部材の他、当該転写部材を帯電させるための帯電ロール、複数色で画像を形成する際に上記転写部材の上流側で用いられる中間転写ドラム、中間転写ドラム等に付着した異物を除去するためのブラシロール等、動作させる際に電圧の印加を伴う多数の導電性部材が用いられている。そして、これらの導電性部材も上記転写部材と同様の傾向かつ各々異なる特性で抵抗値が変化する。従って、記録画像の高品質化のためには、これらの各導電性部材毎に抵抗値の変化に応じて電圧を印加することが好ましく、このためには各導電性部材毎に抵抗値を検出するためのシステムが必要となる。
【００１６】
本発明は、上記問題点を解決するためになされたものであり、装置の大型化や高コスト化を招くことなく画像品質を向上させることのできる画像形成装置及びバイアス制御方法を提供することを目的とする。
【００１７】
【課題を解決するための手段】
上記目的を達成するために、請求項１記載の画像形成装置は、電源が投入された状態で画像を記録媒体にページ単位で形成する画像形成装置であって、電圧が印加されることにより画像形成に関する所定の動作を行う導電性部材と、前記電源が投入された時点からの前記記録媒体に対する画像形成枚数を示す枚数情報を取得する取得手段と、前記取得手段により取得された前記枚数情報により示される前記画像形成枚数が多くなるほど前記導電性部材に印加する電圧のレベルが低下するように制御を行う電圧制御手段と、を備えている。
【００１８】
請求項１に記載の画像形成装置では、電源が投入された状態で画像が記録媒体にページ単位で形成される。この際、本発明では、導電性部材により、電圧が印加されることによって画像形成に関する所定の動作が行われる。
【００１９】
ここで、本発明では、電源が投入された時点からの記録媒体に対する画像形成枚数を示す枚数情報が取得手段によって取得され、電圧制御手段により、当該枚数情報により示される上記画像形成枚数が多くなるほど上記導電性部材に印加する電圧のレベル（電圧値）が低下するように制御が行われる。
【００２０】
すなわち、本発明では、導電性部材の温度は電源投入時からの画像形成枚数の増加に伴って上昇する点に着目し、当該画像形成枚数が多くなるほど導電性部材に印加する電圧のレベルが低下するようにしており、これによって、導電性部材の抵抗値を検出するためのシステムを要することなく、すなわち、装置の大型化や高コスト化を招くことなく、上記抵抗値の変化に応じた適切なレベルの電圧を導電性部材に印加できるようにしており、この結果として画像品質を向上させることができるようにしている。
【００２１】
このように、請求項１に記載の画像形成装置によれば、電源が投入された時点からの記録媒体に対する画像形成枚数を示す枚数情報を取得し、取得した枚数情報により示される画像形成枚数が多くなるほど導電性部材に印加する電圧のレベルが低下するように制御を行っているので、装置の大型化や高コスト化を招くことなく画像品質を向上させることができる。
【００２２】
なお、本発明は、請求項２に記載の発明のように、前記電圧のレベルの低下の度合いを示す度合情報を予め記憶した記憶手段を更に備え、前記電圧制御手段は、前記度合情報により示される度合いに基づいて前記電圧のレベルの制御を行うようにしてもよい。なお、上記記憶手段には、ＲＡＭ（Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、フラッシュＥＥＰＲＯＭ（Ｆｌａｓｈ  ＥＥＰＲＯＭ）等の半導体記憶素子、フロッピィディスク、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−ＲｅＷｒｉｔａｂｌｅ）、光磁気ディスク等の可搬記録媒体やハードディスク等の固定記録媒体、或いはネットワークに接続されたサーバ・コンピュータ等に設けられた外部記憶装置等を用いることができる。
【００２３】
また、請求項２に記載の発明は、請求項３に記載の発明のように、前記導電性部材による前記所定の動作による前記記録媒体に対する累積処理枚数を示す累積処理枚数情報を取得する累積情報取得手段を更に備え、前記記憶手段は、前記累積情報取得手段により取得された累積処理枚数情報によって示される前記累積処理枚数が多くなるほど大きな値となる情報を前記度合情報として予め記憶するようにしてもよい。
【００２４】
また、請求項３に記載の発明は、請求項４に記載の発明のように、前記電圧制御手段は、前記累積情報取得手段により取得された累積処理枚数情報によって示される前記累積処理枚数が多くなるほど前記導電性部材に印加する電圧のレベルの初期レベルが高くなるように設定するようにしてもよい。
【００２５】
また、請求項２乃至請求項４の何れか１項記載の発明は、請求項５に記載の発明のように、前記記憶手段は、前記電圧のレベルの下限値を示す下限情報を更に予め記憶し、前記電圧制御手段は、前記下限情報により示される下限値を下限レベルとして前記電圧のレベルの制御を行うようにしてもよい。
【００２６】
また、本発明は、請求項６に記載の発明のように、所定の環境状態を検知する検知手段を更に備え、前記電圧制御手段は、前記検知手段により検知された環境状態に応じて前記電圧のレベルの制御を行うようにしてもよい。なお、上記検知手段には、温度センサー、湿度センサーが含まれる。
【００２７】
また、本発明は、請求項７に記載の発明のように、前記電圧制御手段は、画像形成動作が一時的に停止されている休止期間が所定期間以上である場合に、当該休止期間が長くなるほど前記画像形成枚数が少なくなるように調整するようにしてもよい。
【００２８】
また、本発明は、請求項８に記載の発明のように、前記電圧制御手段は、前記導電性部材が交換された際に前記画像形成枚数をリセットする（零にする）ようにしてもよい。
【００２９】
また、本発明は、請求項９に記載の発明のように、前記電圧制御手段は、前記記録媒体への画像の形成を当該記録媒体の両面に対して行う場合に、片面に対して行う場合に比較して前記画像形成枚数が多くなるように調整するようにしてもよい。
【００３０】
また、本発明は、請求項１０に記載の発明のように、前記電圧制御手段は、前記画像形成枚数を予め定められた上限枚数以下に制限するようにしてもよい。
【００３１】
更に、本発明は、請求項１１に記載の発明のように、前記導電性部材を、画像形成時に前記記録媒体に画像を転写させるための転写体、被帯電体を帯電させるための帯電体、複数色で画像を形成する際に前記転写体の上流側で用いられる中間転写体、画像形成時に生じた異物を除去するためのブラシロールの少なくとも１つとし、前記電圧制御手段は、前記導電性部材として複数の部材を適用する場合に、各部材毎に抵抗値の変動特性に応じて前記電圧のレベルの制御を行うようにしてもよい。
【００３２】
一方、上記目的を達成するために、請求項１２記載のバイアス制御方法は、電源が投入された状態で画像を記録媒体にページ単位で形成すると共に、電圧が印加されることにより画像形成に関する所定の動作を行う導電性部材を備えた画像形成装置における当該導電性部材に対するバイアス制御方法であって、前記電源が投入された時点からの前記記録媒体に対する画像形成枚数を示す枚数情報を取得し、取得した前記枚数情報により示される前記画像形成枚数が多くなるほど前記導電性部材に印加する電圧のレベルが低下するように制御を行うようにしたものである。
【００３３】
従って、請求項１２に記載の発明によれば、請求項１に記載の発明と同様に画像形成装置を作用させることができるので、請求項１に記載の発明と同様に、装置の大型化や高コスト化を招くことなく画像品質を向上させることができる。
【００３４】
【発明の実施の形態】
以下、本発明の好ましい実施の形態について図面を参照しながら詳細に説明する。なお、本実施の形態では、本発明をフルカラープリンタとして構成された画像形成装置に適用した場合について説明する。まず、図１を参照して、本実施の形態に係る画像形成装置１０の構成について説明する。なお、同図における円弧状矢印は、対応する回転部材の回転方向を示している。
【００３５】
画像形成装置１０は、イエロー（Ｙ）、マゼンタ（Ｍ）、シアン（Ｃ）、ブラック（Ｋ）の各色用の感光体ドラム１４（１４Ｙ、１４Ｍ、１４Ｃ、１４Ｋ）を備えた画像形成ユニット１２（１２Ｙ、１２Ｍ、１２Ｃ、１２Ｋ）と、各々対応する感光体ドラム１４に接触する一次帯電用の帯電装置１６（１６Ｙ、１６Ｍ、１６Ｃ、１６Ｋ）と、Ｙ、Ｍ、Ｃ、Ｋ各色のレーザ光１８（１８Ｙ、１８Ｍ、１８Ｃ、１８Ｋ）を対応する感光体ドラム１４に照射する不図示のレーザ光学ユニットと、を含んで構成されている。
【００３６】
また、画像形成装置１０は、各色成分のトナーが含まれる現像剤を収容した現像装置２０（２０Ｙ、２０Ｍ、２０Ｃ、２０Ｋ）と、感光体ドラム１４Ｙ，１４Ｍに接触する一次中間転写ドラム２２及び感光体ドラム１４Ｃ，１４Ｋに接触する一次中間転写ドラム２４と、当該一次中間転写ドラム２２，２４に接触する二次中間転写ドラム２６と、当該二次中間転写ドラム２６に接触する最終転写ロール２８と、を含んで構成されている。
【００３７】
なお、本実施の形態に係る画像形成装置１０では、感光体ドラム１４、帯電装置１６、現像装置２０、一次中間転写ドラム２２、２４、二次中間転写ドラム２６が一体的に搭載されたプロセス・カートリッジ（ＣＲＵ：Ｃｕｓｔｏｍｅｒ  Ｒｅｐｌａｃｅａｂｌｅ  Ｕｎｉｔ）として構成されている。
【００３８】
各感光体ドラム１４は、互いに図１上下方向に一定の間隔をおいて配置されている。また、一次中間転写ドラム２２、２４及び二次中間転写ドラム２６は、各々の回転軸が感光体ドラム１４の回転軸に対して平行となるように配置されている。
【００３９】
上記レーザ光学ユニットでは、不図示の画像処理ユニットから入力された各色毎の画像情報に応じて各色のレーザ光１８が変調され、対応する色の感光体ドラム１４に各々照射される。
【００４０】
各感光体ドラム１４の周囲では、周知の電子写真方式による各色毎の画像形成プロセスが次のように行われる。
【００４１】
まず、各感光体ドラム１４は所定の回転速度（例えば９５ｍｍ／ｓｅｃ）で回転駆動される。
【００４２】
そして、感光体ドラム１４の表面は、図１に示すように、帯電装置１６に所定の帯電レベル（例えば、約−８００Ｖ）の直流電圧を印加することによって、所定レベルに一様に帯電される。なお、本実施の形態では、帯電装置１６に対して直流電圧のみを印加しているが、交流成分を直流成分に重畳するように構成することもできる。
【００４３】
次に、一様な表面電位とされた各感光体ドラム１４の表面に、レーザ光学ユニットによって各色に対応したレーザ光１８が照射され、各色毎の画像情報に応じた静電潜像が形成される。これにより、感光体ドラム１４のレーザ光による露光部位の表面電位は所定レベル（例えば、−６０Ｖ以下程度）にまで除電される。
【００４４】
そして、各感光体ドラム１４の表面に形成された静電潜像は対応する現像装置２０によって現像され、各感光体ドラム１４上に各色のトナー像として可視化される。
【００４５】
次に、各感光体ドラム１４上に形成された各色のトナー像は、対応する一次中間転写ドラム２２、２４上に静電的に一次転写される。ここで、感光体ドラム１４Ｙ、１４Ｍに形成されたＹ色及びＭ色のトナー像は一次中間転写ドラム２２に、感光体ドラム１４Ｃ、１４Ｋに形成されたＣ色及びＫ色のトナー像は一次中間転写ドラム２４上に、各々転写される。
【００４６】
なお、一次中間転写ドラム２２及び一次中間転写ドラム２４には、不図示の転写バイアス電源が接続されており、このトナー像の一次転写の際には、当該転写バイアス電源は転写バイアスを各一次中間転写ドラムに印加するようになっている。
【００４７】
この後、一次中間転写ドラム２２、２４上に形成されたトナー像は、二次中間転写ドラム２６上に静電的に二次転写される。これにより、二次中間転写ドラム２６上には、単色像からＹ、Ｍ、Ｃ、Ｋの各色の四重色像までのトナー像が形成されることになる。
【００４８】
なお、二次中間転写ドラム２６にも、一次中間転写ドラムと同様に不図示の転写バイアス電源が接続されており、トナー像の二次転写の際には、当該転写バイアス電源は転写バイアスを二次中間転写ドラム２６に印加するようになっている。
【００４９】
最後に、二次中間転写ドラム２６上に形成されたトナー像は、最終転写ロール２８によって用紙搬送路３０を通る用紙に三次転写される。当該用紙は、不図示の紙送り工程を経て用紙搬送ロール３２を通過し、二次中間転写ドラム２６と最終転写ロール２８とのニップ部に送り込まれる。この三次転写の後、用紙上に形成されたトナー像は、定着装置３４によって定着され、画像形成プロセスが終了する。なお、最終転写ロール２８にも、一次中間転写ドラム及び二次中間転写ドラムと同様に不図示の転写バイアス電源が接続されており、トナー像の三次転写の際には、当該転写バイアス電源は転写バイアスを最終転写ロール２８に印加するようになっている。
【００５０】
なお、本実施の形態に係る帯電装置１６は、図１に示すように、感光体ドラム１４を帯電する帯電ロール４０と、当該帯電ロール４０の上流側にブラシロール４２とを備え、当該ブラシロール４２にて感光体ドラム１４上の残留トナーやキャリア等の異物を除去し、帯電ロール４０側に感光体ドラム１４上の異物が転移しないようにしている。
【００５１】
また、一次中間転写ドラム２２、２４及び二次中間転写ドラム２６には、各々のドラム表面の残留トナー等の異物を一時的に保持する一次中間ブラシロール４４、４６、及び二次中間ブラシロール４８が接触配置されている。
【００５２】
更に、最終転写ロール２８には、ブレード５０Ａを有し、ブレードクリーニング方式を採用したクリーニング装置５０が設けられている。
【００５３】
次に、本実施の形態に係る現像装置２０及び帯電装置１６について、図２を参照しつつ詳細に説明する。なお、同図における円弧状矢印は、回転部品の回転方向を示している。まず、現像装置２０について説明する。
【００５４】
各現像装置２０は、非磁性トナー及び磁性キャリアが含まれた現像剤Ｇが収容されるハウジング５１と、当該ハウジング５１の開口部に面して配設される現像ロール５２と、当該現像ロール５２上に担持される現像剤Ｇの層厚を規制する層厚規制ロール５３と、現像剤Ｇを攪拌しながら搬送する２本のオーガー５４、５５と、現像ロール５２に現像剤Ｇを供給するパドルホイール５６と、を含んで構成されている。
【００５５】
また、現像ロール５２は、ハウジング５１の開口部付近に回転駆動可能に配設される中空の円筒形状からなる非磁性の現像スリーブ６０と、当該現像スリーブ６０の中空内に複数の磁極を所定の角度で配置した磁石ロール（マグネットロール）６２が位置を固定した状態で配設されたものである。
【００５６】
そして、現像スリーブ６０には、不図示のバイアス電源が接続され、所定の現像バイアス（本実施の形態では、直流成分に交流成分を重畳したバイアス）が印加されるようになっている。
【００５７】
一方、本実施の形態に係る帯電装置１６は、感光体ドラム１４を帯電する帯電ロール４０と、当該帯電ロール４０の上流側に設けられたブラシロール４２とを一対の軸受け部材（図示省略）にて回転自在に支承するようにしたものである。
【００５８】
なお、本実施の形態では、帯電ロール４０は、非磁性シャフトと、当該非磁性シャフトの外周に設けられるスポンジ状導電性弾性体と、当該導電性弾性体を被覆する円筒状表層フィルムとを備えている。そして、上記非磁性シャフトには、不図示の帯電バイアス電源が接続されており、当該帯電バイアス電源は極性の異なる帯電バイアスを非磁性シャフトに印加するようになっている。
【００５９】
本実施の形態における帯電ロール４０へのバイアス印加方式では、画像形成時には帯電バイアス（−）を印加し、クリーニング時には帯電バイアス（＋）を印加するようになっている。
【００６０】
また、本実施の形態におけるブラシロール４２は、磁性シャフトと、当該磁性シャフトの外周にブラシ状部材としての摺擦毛を設けたものである。
【００６１】
そして、当該ブラシロール４２には何ら駆動手段が設けられておらず、ブラシロール４２は摺擦毛と感光体ドラム１４との間に作用する摩擦力によって感光体ドラム１４の回転に連れ回っている。
【００６２】
ここで、ブラシロール４２には、不図示の除去バイアス電源が接続されており、当該除去バイアス電源は極性の異なる除去バイアスを磁性シャフトに印加するようになっている。
【００６３】
本実施の形態におけるブラシロール４２へのバイアス印加方式では、画像形成時には除去バイアス（−）を印加することで極性反転したトナーを感光体ドラム１４の表面から一時的に回収し、クリーニングが開始されるまでの間、当該トナーを保持するようになっている。また、クリーニング時には、除電バイアス（＋）を印加するようになっている。
【００６４】
ところで、本実施の形態に係る画像形成装置１０には、画像形成性能を維持するための性能維持制御系が設けられている。
【００６５】
図３に示すように、当該性能維持制御系は、マイクロ・コンピュータ・システムからなる制御装置８０と、当該制御装置８０から出力されたデータや各種命令（例えば、ＰＣＭ（プリント命令）等）に従って各種制御信号を生成するエレクトリックサブシステム（ＥＳＳ：Ｅｌｅｃｔｒｉｃ  Ｓｕｂ  Ｓｙｓｔｅｍ）８２と、を備えている。
【００６６】
ＥＳＳ８２は、電源スイッチ８４のオン動作に伴って電源（ＬＶＰＳ：Ｌｏｗ  Ｖｏｌｔａｇｅ  Ｐｏｗｅｒ  Ｓｕｐｐｌｙ）８６からの電力供給を受け、画像形成装置１０の出力部（ＩＯＴ：Ｉｍａｇｅ  Ｏｕｔｐｕｔ  Ｔｅｒｍｉｎａｌ）８８に上記制御信号を送出し、所定の画像形成プロセスを実行させるものである。
【００６７】
なお、ＥＳＳ８２には、後述する印加電圧制御処理プログラム等の各種プログラムや各種テーブル等を予め記憶した記憶装置８３が接続されている。また、ＥＳＳ８２には、計時用のタイマ８２Ａが内蔵されている。
【００６８】
また、本実施の形態におけるＩＯＴ８８は、前述のプロセス・カートリッジ（ＣＲＵ）９０を備えているが、当該ＣＲＵ９０には各種情報を書き換え可能な記憶装置、例えばＣＲＵＭ（ＣＲＵ  Ｍｏｎｉｔｅｒ）９２が搭載されており、当該ＣＲＵＭ９２は、制御装置８０との間で読み取り、書き込みが可能に接続されている。
【００６９】
なお、本実施の形態に係るＣＲＵＭ９２は、ＣＲＵ９０が初めて使用開始された時点からの用紙に対する累積処理枚数Ｔｐｖを示す累積処理枚数情報が記憶されるものとされている。
【００７０】
一方、ＩＯＴ８８の筐体外面の所定位置には、気温を検出するための気温センサー８８Ａ及び湿度を検出するための湿度センサー８８Ｂが配設されており、各センサーの検出結果を示す情報を出力する出力端子が制御装置８０に接続されている。従って、制御装置８０は、各センサーによって検出された気温及び湿度を常時把握することができる。なお、本実施の形態では、制御装置８０からＥＳＳ８２に対して当該気温及び湿度を示す情報が所定時間毎に出力されるように構成されており、ＥＳＳ８２もまた当該気温及び湿度を把握することができる。
【００７１】
ところで、本実施の形態に係る画像形成装置１０では、画像形成時に、最終転写ロール２８、帯電ロール４０、一次中間転写ドラム２２，２４、二次中間転写ドラム２６、及びブラシロール４２に対する印加電圧（バイアス電圧）を制御する印加電圧制御処理がＥＳＳ８２において実行される。そして、この印加電圧制御処理の際には、実機を用いた計測や、画像形成装置１０の設計仕様に基づくコンピュータ・シミュレーション等によって、各制御対象の抵抗値変動特性に応じたものとして得られ、かつ記憶装置８３に予め記憶された各種テーブルを用いて印加電圧のレベル（電圧値）が決定される。
【００７２】
図４には、一次中間転写ドラム２２に対して印加電圧制御処理を実行する際に用いられる第１テーブルＴＢ１、第２テーブルＴＢ２、第３テーブルＴＢ３、及び第４テーブルＴＢ４の４種類のテーブルの構成が模式的に示されている。以下、各テーブルについて説明する。
【００７３】
第１テーブルＴＢ１は、図４（Ａ）に示すように、予め定められた段階に区分された環境条件毎に、イニシャルパラメータＸ０、経時補正用の傾きＫ、経時補正用の最大値Ｘｍａｘが記憶されて構成されている。なお、本実施の形態において、上記環境条件は、所定の低気温（本実施の形態では、１５℃）以下でかつ所定の低湿度（本実施の形態では、１９％）以下である環境０と、所定の高気温（本実施の形態では、２７℃）超でかつ所定の高湿度（本実施の形態では、７０％）超である環境４と、これらの環境条件の間を３分割した各分割領域に各々対応する環境条件である環境１、環境２、及び環境３と、の合計５段階に区分されている。この環境条件の区分は他のテーブルについても同様である。
【００７４】
ここで、第１テーブルＴＢ１におけるイニシャルパラメータＸ０は、環境０〜環境４を環境ｎ（ｎ＝０〜４）と表したときのｎの値が大きくなるほど小さな値となるように電圧値が記憶されている。
【００７５】
一方、第２テーブルＴＢ２は、図４（Ｂ）に示すように、各環境条件毎で、かつ予め定められた段階に区分された累積処理枚数Ｔｐｖ毎に、累積プリント枚数Ｐによる補正の傾きＫ’が記憶されると共に、各環境条件毎に日内最大下げ幅Ｘ’ｍａｘが記憶されて構成されている。なお、本実施の形態において、累積処理枚数Ｔｐｖは、１０２４枚以下、１０２５枚〜５１２０枚、５１２１枚〜１０２４０枚、１０２４１枚〜１５３６０枚、１５３６１枚〜２０４８０枚、２０４８１枚〜２５６００枚、２５６０１枚〜３０７２０枚、３０７２１枚以上、の合計８段階に区分されている。
【００７６】
ここで、第２テーブルＴＢ２における傾きＫ’は、累積処理枚数Ｔｐｖの多い段階となるほど傾斜が大きくなる値となるように記憶されている。
【００７７】
一方、第３テーブルＴＢ３は、図４（Ｃ）に示すように、各環境条件毎に、画像形成動作が一時的に停止されている期間を示すレスト時間（本発明の「休止期間」に相当。）Ｔによる上記累積プリント枚数Ｐの戻し量の傾きＫ’’、電圧最小値Ｘｍｉｎ、規定時間Ｔｋが記憶されて構成されている。なお、上記レスト時間Ｔは、ＥＳＳ８２による制御の下で、タイマ８２Ａを用いて計時されるように構成されている。
【００７８】
ここで、第３テーブルＴＢ３における傾きＫ’’は、環境条件を示すｎの値が大きくなるほど、所定レスト時間当たりの上記戻し量が多くなる値となるように記憶されている。また、電圧最小値Ｘｍｉｎは、ｎの値が大きくなるほど小さな値となるように電圧値が記憶されている。
【００７９】
更に、第４テーブルＴＢ４は、図４（Ｄ）に示すように、各環境条件毎に、上記累積プリント枚数Ｐのカウントアップ比（両面印刷（Ｄｕｐｌｅｘ）を基準とした片面印刷（Ｓｉｍｐｌｅｘ）と両面印刷の比）α、累積プリント枚数Ｐの上限値Ｐｍａｘが記憶されて構成されている。ここで、第４テーブルＴＢ４におけるカウントアップ比αは、小数点以下の数値が記憶されている。
【００８０】
なお、図４に示した各テーブルＴＢ１〜ＴＢ４は一次中間転写ドラム２２の印加電圧制御に関するものであるが、これ以外の制御対象（最終転写ロール２８、帯電ロール４０、一次中間転写ドラム２４、二次中間転写ドラム２６、ブラシロール４２）についても、各制御対象の抵抗値変動特性に応じたテーブルが記憶装置８３に予め記憶されている。
【００８１】
また、本実施の形態に係るＥＳＳ８２は、電源スイッチ８４がオンされて画像形成装置１０の電源が投入された時点からのＣＲＵ９０による累積プリント枚数Ｐを計数ないし調整して記憶装置８３の所定領域に記憶すると共に、電源スイッチ８４がオフされる前にＣＲＵ９０が交換された際には、累積プリント枚数Ｐをリセットする（零枚とする）ものとされている。
【００８２】
次に、図５及び図６を参照して、本実施の形態に係る印加電圧制御処理について説明する。なお、図５は、制御装置８０からＰＣＭが入力された際にＥＳＳ８２で実行される印加電圧制御処理プログラムの処理の流れを示すフローチャートであり、図６は、当該印加電圧制御処理プログラムの実行途中で実行されるプリント終了処理ルーチンプログラムの処理の流れを示すフローチャートである。また、ここでは、一次中間転写ドラム２２に対する印加電圧制御処理について説明するが、他の制御対象（最終転写ロール２８、帯電ロール４０、一次中間転写ドラム２４、二次中間転写ドラム２６、ブラシロール４２）についても、使用するテーブルが制御対象の抵抗値変動特性に応じたものとなる点以外は同様の処理となるので、ここでの説明は省略する。
【００８３】
まず、図５のステップ１００では、制御装置８０から気温及び湿度を示す情報を取得する。これにより、ＥＳＳ８２は、この時点の環境条件が環境０〜環境４の何れであるのかを把握することができる。なお、以下では、ここで把握した環境条件を「対象環境」という。
【００８４】
次のステップ１０２では、ユーザによる指示入力に基づいて、次の（１）式により全プリント指示枚数Ｐｔを算出する。
【００８５】
Ｐｔ＝（Ｐｄ＋Ｐｓ）      ・・・（１）
ここで、Ｐｄはユーザによって指示された両面印刷の枚数であり、Ｐｓはユーザによって指示された片面印刷の枚数である。
【００８６】
次のステップ１０４では、電源投入時からの累積プリント枚数Ｐを記憶装置８３から読み出し、次のステップ１０６では、前回のプリントジョブ終了時からのレスト時間Ｔをタイマ８２Ａによる計時結果により取得する。
【００８７】
次のステップ１０８では、レスト時間Ｔが対象環境に対応する規定時間Ｔｋｎ（ｎは対象環境を示す値であり、以下同様。）以上であるか否かを判定し、否定判定の場合はステップ１１０に移行して、累積プリント枚数Ｐを用いて次の（２）式により累積プリント枚数Ｐ’を算出した後にステップ１１４に移行する。
【００８８】
Ｐ’＝Ｐ      ・・・（２）
一方、上記ステップ１０８において肯定判定となった場合にはステップ１１２に移行し、累積プリント枚数Ｐ、傾きＫ’’ｎ、レスト時間Ｔを用いて次の（３）式により累積プリント枚数Ｐ’を算出した後にステップ１１４に移行する。
【００８９】
Ｐ’＝Ｐ−Ｋ’’ｎ×Ｔ      ・・・（３）
ステップ１１４では、累積プリント枚数Ｐ’が上限値Ｐｍａｘｎ以上であるか否かを判定し、否定判定である場合はステップ１１８に移行し、肯定判定である場合にはステップ１１６に移行して、累積プリント枚数Ｐ’を次の（４）式にて上限値Ｐｍａｘｎで制限した後にステップ１１８に移行する。
【００９０】
Ｐ’＝Ｐｍａｘｎ      ・・・（４）
ステップ１１８では、ＣＲＵＭ９２から累積処理枚数情報を読み出し、当該情報によって示される累積処理枚数Ｔｐｖと、イニシャルパラメータＸ０ｎ及び傾きＫｎとを用いて、次の（５）式により初期印加電圧Ｘ０を算出する。なお、ここで、累積処理枚数Ｔｐｖは、その上限値が最大値Ｘｍａｘｎ未満に制限される。
【００９１】
Ｘ０＝Ｘ０ｎ＋Ｋｎ×Ｔｐｖ      ・・・（５）
次のステップ１２０では、傾きＫ’ｎをもとに、レスト時間Ｔを考慮した累積プリント枚数Ｐ’を用いて電圧下げ幅Ｋ’×Ｐ’を算出し、次のステップ１２２では、電圧下げ幅Ｋ’×Ｐ’が最大下げ幅Ｘ’ｍａｘｎ以上であるか否かを判定し、否定判定の場合はステップ１２６に移行し、肯定判定の場合にはステップ１２４に移行して電圧下げ幅Ｋ’×Ｐ’を次の（６）式にて最大下げ幅Ｘ’ｍａｘｎで制限した後にステップ１２６に移行する。
【００９２】
Ｋ’×Ｐ’＝Ｘ’ｍａｘｎ      ・・・（６）
ステップ１２６では、電圧下げ幅Ｋ’×Ｐ’及びイニシャルパラメータＸ０ｎを用いて次の（７）式により印加電圧Ｘを算出する。
【００９３】
Ｘ＝Ｘ０ｎ×Ｋ’×Ｐ’      ・・・（７）
次のステップ１２８では、以上の処理によって導出された印加電圧Ｘが電圧最小値Ｘｍｉｎｎ未満であるか否かを判定し、否定判定の場合はステップ１３２に移行し、肯定判定の場合にはステップ１３０に移行して印加電圧Ｘを次の（８）式にて電圧最小値Ｘｍｉｎｎで制限した後にステップ１３２に移行する。
【００９４】
Ｘ＝Ｘｍｉｎｎ      ・・・（８）
ステップ１３２では、一次中間転写ドラム２２に対する転写バイアスとして印加電圧Ｘを印加させるように制御すると共に、ＩＯＴ８８に所定の制御信号を送出することによって画像形成プロセスを実行させる。これにより、ＩＯＴ８８において、一次中間転写ドラム２２に印加電圧Ｘの転写バイアスが加えられた状態下で画像形成が行われる。
【００９５】
そこで、次のステップ１３４にて当該画像形成の終了待ちを行い、次のステップ１３６にてプリント終了処理ルーチンプログラムを実行した後に本印加電圧制御処理プログラムを終了する。
【００９６】
次に、図６を参照して、本実施の形態に係るプリント終了処理ルーチンプログラムについて説明する。
【００９７】
同図のステップ２００では、片面印刷の枚数Ｐｓが１以上であるか否かを判定し、否定判定の場合は次の（９）式により全プリント枚数Ｐｔ’を算出した後にステップ２０６に移行し、肯定判定の場合にはカウントアップ比αを用いて次の（１０）式により全プリント枚数Ｐｔ’を算出した後にステップ２０６に移行する。
【００９８】
Ｐｔ’＝Ｐｔ                ・・・（９）
Ｐｔ’＝Ｐｄ＋α×Ｐｓ      ・・・（１０）
ステップ２０６では、プリントジョブ終了時の累積プリント枚数Ｐ’’を次の（１１）式により算出し、当該累積プリント枚数Ｐ’’を次のステップ２０８で次のプリントジョブで参照されるべき電源投入時からの累積プリント枚数Ｐとして記憶装置８３に記憶（更新）した後に本プリント終了処理ルーチンプログラムを終了する。
【００９９】
Ｐ’’＝Ｐ＋Ｐ’      ・・・（１１）
図７及び図８には、環境条件が環境１である場合における本実施の形態に係る印加電圧制御処理により一次中間転写ドラム２２に印加される電圧（転写バイアス）の挙動例を示すグラフが示されている。なお、図７は、レスト時間Ｔがない状態で画像形成を行った場合の一例であり、図８は、レスト時間Ｔがある状態で画像形成を行った場合の一例である。
【０１００】
図７に示すように、レスト時間Ｔがない状態で画像形成を行った場合、一次中間転写ドラム２２への印加電圧Ｘは、電源スイッチ８４がオンされてからオフされるまでの間に、（５）式により当該一次中間転写ドラム２２の抵抗値の経時変化が加味されて算出された初期印加電圧Ｘ０１から上限値Ｐｍａｘが上限枚数とされた累積プリント枚数Ｐ’が増加するほど徐々に低下されていく。ここで、印加電圧Ｘの低下の度合い（低下の傾き）は、傾きＫ’の作用により累積処理枚数Ｔｐｖが増加するに従って大きく（急勾配）となる。
【０１０１】
この際の印加電圧の下げ幅は最大下げ幅Ｘ’ｍａｘに制限される。また、印加電圧Ｘは電圧最小値Ｘｍｉｎ１が下限とされる。これにより、一次中間転写ドラム２２による転写能力の許容できない程度までの低下を防止することができる。
【０１０２】
一方、図８に示すように、レスト時間Ｔがある状態で画像形成を行った場合、（３）式によってレスト時間Ｔに応じて累積プリント枚数Ｐ’が少なく引き戻されるため、一次中間転写ドラム２２への印加電圧Ｘもレスト時間が発生する毎に初期印加電圧Ｘ０１側に引き戻される。従って、この場合の印加電圧Ｘは、レスト時間Ｔが長くなると一次中間転写ドラム２２の抵抗値の経時変化のみを考慮した場合の直線（図９の‘抵抗値の経時変化’直線に相当。）に近づくことになる。
【０１０３】
以上詳細に説明したように、本実施の形態では、電源が投入された時点からの記録用紙に対する画像形成枚数（本実施の形態では、累積プリント枚数）を取得し、画像形成枚数が多くなるほど一次中間転写ドラム２２等の導電性部材に印加する電圧のレベルが低下するように制御を行っているので、抵抗値を検出するためのシステムを設ける必要がなく、装置の大型化や高コスト化を招くことなく画像品質を向上させることができる。
【０１０４】
また、本実施の形態では、上記電圧のレベルの低下の度合いを示す度合情報（本実施の形態では、傾きＫ’）を予め記憶した記憶装置８３を備え、ＥＳＳ８２により、当該度合情報により示される度合いに基づいて上記電圧のレベルの制御を行っているので、当該度合情報を演算により導出する場合に比較して高速に当該制御を行うことができる。
【０１０５】
また、本実施の形態では、上記導電性部材による所定の動作による記録用紙に対する累積処理枚数Ｔｐｖを示す累積処理枚数情報を取得可能とし、記憶装置８３に、取得された累積処理枚数情報によって示される累積処理枚数Ｔｐｖが多くなるほど大きな値となる情報を上記度合情報として予め記憶しているので、累積処理枚数が多いほど、温度上昇に伴う抵抗値の変化が大きい実際抵抗値の変化の挙動（図９参照）に即した制御を行うことができる。
【０１０６】
また、本実施の形態では、ＥＳＳ８２により、累積処理枚数Ｔｐｖが多くなるほど上記導電性部材に印加する電圧のレベルの初期レベル（本実施の形態では、初期印加電圧Ｘ０ｎ）が高くなるように設定しているので、導電性部材における抵抗値の経時変化に対応することができ、より画像品質を向上させることができる。
【０１０７】
また、本実施の形態では、記憶装置８３により上記電圧のレベルの下限値を示す下限情報（本実施の形態では、電圧最小値Ｘｍｉｎｎ）を予め記憶し、ＥＳＳ８２により、当該下限値を下限レベルとして電圧のレベルの制御を行うようにしているので、制御対象とする導電性部材の動作能力の許容できない程度までの低下を防止することができる。
【０１０８】
また、本実施の形態では、気温センサー８８Ａ及び湿度センサー８８Ｂを備え、ＥＳＳ８２により、上記各センサーにより検知された環境状態に応じて上記電圧のレベルの制御を行っているので、制御対象とする導電性部材の抵抗値に大きく影響する環境状態に応じたきめ細かな制御を行うことができ、この結果として、より画像品質を向上させることができる。
【０１０９】
また、本実施の形態では、ＥＳＳ８２により、画像形成動作が一時的に停止されている休止期間（本実施の形態では、レスト時間Ｔ）が所定期間以上である場合に、当該休止期間が長くなるほど累積プリント枚数が少なくなるように調整しているので、レスト時間Ｔによる温度の低下を加味して印加電圧レベルの制御を行うことができ、この結果として、より画像品質を向上させることができる。
【０１１０】
また、本実施の形態では、ＥＳＳ８２により、制御対象とする導電性部材が交換された際に累積プリント枚数をリセット（零に）しているので、交換後の導電性部材の温度レベルに対応する抵抗値に応じた印加電圧レベルの制御ができ、この結果として、より画像品質を向上させることができる。
【０１１１】
また、本実施の形態では、ＥＳＳ８２により、記録用紙への画像の形成を当該記録用紙の両面に対して行う場合に、片面に対して行う場合に比較して画像形成枚数（累積プリント枚数）が多くなるように調整しているので、片面印刷より両面印刷の方が記録用紙１枚当たりの温度上昇が大きいという実態に則した印加電圧の制御を行うことができ、この結果として、より画像品質を向上させることができる。
【０１１２】
また、本実施の形態では、ＥＳＳ８２により、画像形成枚数を予め定められた上限枚数（本実施の形態では、上限値Ｐｍａｘｎにより示される枚数）以下に制限しているので、制御対象とする導電性部材の温度上昇に伴う抵抗値の低下の下限に対応した印加電圧の制御を行うことができ、この結果として、より画像品質を向上させることができる。
【０１１３】
更に、本実施の形態では、制御対象とする導電性部材を、画像形成時に記録用紙に画像を転写させるための最終転写ロール２８、被帯電体を帯電させるための帯電ロール４０、複数色で画像を形成する際に最終転写ロール２８の上流側で用いられる一次中間転写ドラム２２、２４及び二次中間転写ドラム２６、画像形成時に生じた異物を除去するためのブラシロール４２の各々とし、ＥＳＳ８２は、これらの各部材毎に抵抗値の変動特性に応じて印加電圧レベルの制御を行っているので、各部材毎に高精度な制御を行うことができ、この結果として、より画像品質を向上させることができる。
【０１１４】
なお、本実施の形態では、印加電圧制御処理で用いる傾きＫ’、電圧最小値Ｘｍｉｎ等の各種パラメータの値をテーブルとして予め記憶しておく場合について説明したが、本発明はこれに限定されるものではなく、例えば、当該パラメータを算出することのできる演算式を予め記憶しておき、当該演算式を用いて各パラメータ値を算出して用いる形態とすることもできる。この場合、テーブルを予め記憶しておく場合に比較し、当該算出にかかる演算負荷が上昇するものの、パラメータ値を記憶するための記憶容量を低減することができる。
【０１１５】
また、本実施の形態で示した各演算式（（１）式〜（１１）式）は、各々一例であり、本発明の主旨を逸脱しない範囲で適宜変更可能であることは言うまでもない。
【０１１６】
また、本実施の形態において説明した印加電圧制御処理プログラムの処理の流れ（図５、図６参照）も一例であり、本発明の主旨を逸脱しない範囲内において適宜変更可能であることは言うまでもない。
【０１１７】
また、本実施の形態において説明した各テーブルの構成（図４参照）も一例であり、本発明の主旨を逸脱しない範囲内において適宜変更可能であることは言うまでもない。
【０１１８】
更に、本実施の形態で説明した画像形成装置１０の構成（図１〜図３参照）も一例であり、本発明の主旨を逸脱しない範囲内において適宜変更可能であることは言うまでもない。
【０１１９】
【発明の効果】
以上詳細に説明したように、本発明に係る画像形成装置及びバイアス制御方法によれば、電源が投入された時点からの記録媒体に対する画像形成枚数を示す枚数情報を取得し、取得した枚数情報により示される画像形成枚数が多くなるほど導電性部材に印加する電圧のレベルが低下するように制御を行っているので、装置の大型化や高コスト化を招くことなく画像品質を向上させることができる、という効果が得られる。
【図面の簡単な説明】
【図１】実施の形態に係る画像形成装置１０の構成を示す説明図である。
【図２】実施の形態に係る帯電装置１６及び現像装置２０の構成を示す説明図である。
【図３】実施の形態に係る性能維持制御系を示すブロック図である。
【図４】実施の形態に係る各種テーブルの構成を示す模式図である。
【図５】実施の形態に係る印加電圧制御処理プログラムの処理の流れを示すフローチャートである。
【図６】実施の形態に係るプリント終了処理ルーチンプログラムの処理の流れを示すフローチャートである。
【図７】環境条件が環境１であり、かつレスト時間Ｔがない状態で画像形成を行った場合における印加電圧制御処理により一次中間転写ドラム２２に印加される電圧（転写バイアス）の挙動例を示すグラフである。
【図８】環境条件が環境１であり、かつレスト時間Ｔがある状態で画像形成を行った場合における印加電圧制御処理により一次中間転写ドラム２２に印加される電圧（転写バイアス）の挙動例を示すグラフである。
【図９】転写部材の抵抗値変動特性の一例を示すグラフである。
【符号の説明】
１０    画像形成装置
２２    一次中間転写ドラム（導電性部材（中間転写体））
２４    一次中間転写ドラム（導電性部材（中間転写体））
２６    二次中間転写ドラム（導電性部材（中間転写体））
２８    最終転写ロール（導電性部材（転写体））
４０    帯電ロール（導電性部材（帯電体））
４２    ブラシロール（導電性部材）
８２    ＥＳＳ（電圧制御手段、取得手段、累積情報取得手段）
８３    記憶装置（記憶手段）
８８Ａ    気温センサー（検知手段）
８８Ｂ    湿度センサー（検知手段）
【図１】
2004347881.tif 000003
【図２】
2004347881.tif 000004
【図３】
2004347881.tif 000005
【図４】
2004347881.tif 000006
【図５】
2004347881.tif 000007
【図６】
2004347881.tif 000008
【図７】
2004347881.tif 000009
【図８】
2004347881.tif 000010
【図９】
2004347881.tif 000011